(57)【要約】【課題】            餌の釣り用針への取付けの際に、餌刺し針による餌の切り裂きを防止すると共に、当該餌保持部による餌の離脱を防止するための保持力を十分に発生させることが可能な餌固定具を提供することである。  【解決手段】        本発明の一実施形態に係る餌固定具は、錘と、一端で該錘に取り付けられ、他端から餌を取り付けるよう構成される釣り用針と、一端で該錘に取り付けられ、他端の端部領域で該餌の離脱を防止する餌保持部と、を備え、該餌保持部の該他端の端部領域が、前記釣り針とは、前記釣り用針の方向に垂直な方向において、１−１０ｍｍの範囲で離れるようにして配置され、前記餌保持部の前記他端の端部領域の延伸方向における該他端の位置と、前記釣り用針から前記延伸方向に垂直な方向に延びる仮想線が、前記延伸方向の仮想線と交わる位置と、の間の距離が１−８ｍｍの範囲にあるよう構成される。【選択図】          図１
2019118313.tif 000002
【特許請求の範囲】
【請求項１】
錘と、一端で該錘に取り付けられ、他端から餌を取り付けるよう構成される釣り用針と、一端で該錘に取り付けられ、他端の端部領域で該餌の離脱を防止する餌保持部と、を備える餌固定具であって、
該餌保持部の該他端の端部領域が、前記釣り針とは、前記釣り用針の方向に垂直な方向において、１−１０ｍｍの範囲で離れるようにして配置され、
前記餌保持部の前記他端の端部領域の延伸方向における該他端の位置と、
前記釣り用針から前記延伸方向に垂直な方向に延びる仮想線が、前記延伸方向の仮想線と直角に交わる位置と、の間の距離が１−８ｍｍの範囲にあるよう構成されることを特徴とする餌固定具。
【請求項２】
前記餌保持部は、餌刺し用の針である、請求項１に記載の餌固定具。
【請求項３】
前記餌刺し用の針は、餌刺し本体部と、該餌刺し本体部の延伸方向に対して傾斜して形成される前記端部領域と、を少なくとも含む、請求項２に記載の餌固定具。
【請求項４】
前記餌刺し用の針は、餌刺し本体部と、返し部として形成される前記端部領域と、を少なくとも含む、請求項２に記載の餌固定具。
【請求項５】
前記餌刺し用の針は、餌刺し本体部と、前記端部領域と、を少なくとも含み、前記餌刺し本体部は、くの字状に形成される、請求項２に記載の餌固定具。
【請求項６】
前記該餌保持部の該他端の端部領域の、前記釣り用針の方向に垂直な方向における前記釣り針からの距離は、前記餌の外径寸法により決定される、請求項１から４までのいずれか１項に記載の餌固定具。
【請求項７】
前記餌保持部の前記他端の端部領域の延伸方向における該他端の位置と、
前記釣り用針から前記延伸方向に垂直な方向に延びる仮想線が、前記延伸方向の仮想線と交わる位置と、の間の距離は、前記餌の外径寸法により決定される、請求項１から５までのいずれか１項に記載の餌固定具。
【請求項８】
錘と、一端で該錘に取り付けられ、他端から餌を取り付けるよう構成される釣り用針と、一端で該錘に取り付けられ、他端の端部領域で該餌の離脱を防止する餌保持部と、を備える餌固定具であって、
該餌保持部の該他端の端部領域が、前記釣り針とは、前記釣り用針の方向に垂直な方向において、餌が取り付けられた状態で、該釣り用針から、該釣り用針に垂直な方向における前記餌の外面まで長さ以上の間隔を設けて配置され、
前記餌保持部の前記他端の端部領域の延伸方向における該他端の位置と、
前記釣り用針から前記延伸方向に垂直な方向に延びる仮想線が、前記延伸方向の仮想線と直角に交わる位置と、の間の長さが、前記餌の外面までの長さの８０％以下となるように構成されることを特徴とする餌固定具。
【発明の詳細な説明】
【技術分野】
【０００１】
本発明は、釣り用針、特に、魚釣り用針を備えた餌固定具に関するものである。
【背景技術】
【０００２】
従来より、魚釣り用に使用される釣り針を備えた餌固定具として種々の餌固定具が知られている。このような餌固定具として、例えば、釣り針、錘、餌刺し用針などで構成される固定具がある。
【０００３】
特許文献１には、錘と、当該錘と水平方向の上下に結合された複数のハリと、当該錘に当該ハリと同じ方向で上下に結合された餌刺し用針とを備え、複合テンヤ仕掛けで太刀魚、イカ釣りを行うことができる固定具が開示されている。
【０００４】
また、特許文献２には、錘と、錘から延びる釣り針と、錘に取り付けられた基部に回動自在に取り付けられたかぎ形餌刺し針とを備える固定具が開示されている。
【先行技術文献】
【特許文献】
【０００５】
【特許文献１】特開２００３−２３０３３０号公報
【特許文献２】特開平８−１６３９３９号公報
【発明の概要】
【発明が解決しようとする課題】
【０００６】
しかしながら、特許文献１に開示の固定具では、複数のハリと同方向に餌刺し用針が形成されるため、構造上、餌をいずれかのハリに刺す際、餌刺し用針が餌を切り裂きながら取り付けられるため、餌刺し用針が餌をハリに留め離脱を防止する役割を必ずしも果たしていないという問題があった。
【０００７】
他方、特許文献２に開示の固定具では、かぎ形餌刺し針を回動させることで、餌を釣り針に刺す際、かぎ形餌刺し針が餌を切り裂くことを防止できるものの、餌を刺す方向に回動させ横方向から餌に刺しても、かぎ形餌刺し針による餌の離脱を防止する力を十分に働かさせることができず、かぎ形餌刺し針が餌の釣り針からの離脱を回避せしめるのが難しいという問題があった。また、特許文献２に係る固定具では、構造が複雑化してしまうという問題もあった。
【０００８】
本発明の実施形態は、上記のような問題点に鑑み、簡易な構成で、餌の釣り用針への取付けの際に餌の当該針からの離脱を防止する餌刺し針（以下、餌保持部という）による餌の切り裂きを防止すると共に、当該餌保持部による餌の離脱を防止するための保持力を十分に発生させることが可能な餌固定具を提供することを目的とする。
【０００９】
本発明の実施形態の他の目的は、本明細書全体を参照することにより明らかとなる。
【課題を解決するための手段】
【００１０】
本発明の一実施形態に係る餌固定具は、錘と、一端で該錘に取り付けられ、他端から餌を取り付けるよう構成される釣り用針と、一端で該錘に取り付けられ、他端の端部領域で該餌の離脱を防止する餌保持部と、を備え、該餌保持部の該他端の端部領域が、前記釣り針とは、前記釣り用針の方向に垂直な方向において、１−１０ｍｍの範囲で離れるようにして配置され、前記餌保持部の前記他端の端部領域の延伸方向における該他端の位置と、前記釣り用針から前記延伸方向に垂直な方向に延びる仮想線が、前記延伸方向の仮想線と直角に交わる位置と、の間の距離が１−８ｍｍの範囲にあるよう構成される。
【００１１】
本発明の一実施形態に係る餌固定具は、前記餌保持部は、餌刺し用の針である。
【００１２】
本発明の一実施形態に係る餌固定具の前記餌刺し用の針は、餌刺し本体部と、該餌刺し本体部の延伸方向に対して傾斜して形成される前記端部領域と、を少なくとも含むよう構成される。
【００１３】
本発明の一実施形態に係る餌固定具の前記餌刺し用の針は、餌刺し本体部と、返し部として形成される前記端部領域と、を少なくとも含むよう構成される。
【００１４】
本発明の一実施形態に係る餌固定具の前記餌刺し用の針は、餌刺し本体部と、前記端部領域と、を少なくとも含み、前記餌刺し本体部は、くの字状に形成される。
【００１５】
本発明の一実施形態に係る餌固定具において、前記該餌保持部の該他端の端部領域の、前記釣り用針の方向に垂直な方向における前記釣り針からの距離は、前記餌の外径寸法により決定される。
【００１６】
本発明の一実施形態に係る餌固定具において、前記餌保持部の前記他端の端部領域の延伸方向における該他端の位置と、前記釣り用針から前記延伸方向に垂直な方向に延びる仮想線が、前記延伸方向の仮想線と交わる位置と、の間の距離は、前記餌の外径寸法により決定される。
【００１７】
本発明の一実施形態に係る餌固定具は、錘と、一端で該錘に取り付けられ、他端から餌を取り付けるよう構成される釣り用針と、一端で該錘に取り付けられ、他端の端部領域で該餌の離脱を防止する餌保持部と、を備え、該餌保持部の該他端の端部領域が、前記釣り針とは、前記釣り用針の方向に垂直な方向において、餌が取り付けられた状態で、該釣り用針から、該釣り用針に垂直な方向における前記餌の外面まで長さ以上の間隔を設けて配置され、前記餌保持部の前記他端の端部領域の延伸方向における該他端の位置と、前記釣り用針から前記延伸方向に垂直な方向に延びる仮想線が、前記延伸方向の仮想線と直角に交わる位置と、の間の長さが、前記餌の外面までの長さの８０％以下となるように構成される。
【発明の効果】
【００１８】
本発明の様々な実施形態により、簡易な構成で、餌の釣り用針への取付けの際に、餌の当該針からの離脱を防止する餌保持部による餌の切り裂きを防止すると共に、当該餌保持部による餌の離脱を防止するための保持力を十分に発生させることができる餌固定具を提供することが可能となる。
【図面の簡単な説明】
【００１９】
【図１】本発明の一実施形態による餌固定具１の使用状態の様子を模式的に示す図である。
【図２】本発明の一実施形態による餌固定具１の全体構成を説明する図である。
【図３】本発明の一実施形態による餌固定具１の上面図である。
【図４】本発明の一実施形態による餌固定具１の斜視図である。
【図５ａ】本発明の一実施形態による餌固定具１の正面図である。
【図５ｂ】本発明の一実施形態による餌固定具１の断面図である。
【図５ｃ】本発明の一実施形態による餌固定具１の側面図である。
【図６】本発明の一実施形態による餌固定具１の正面図である。
【発明を実施するための形態】
【００２０】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない。以下、本発明の実施形態について図面に基づき説明する。
【００２１】
まず、図１を参照して、本発明の一実施形態における餌固定具１の使用時の状態を示す例について説明する。
【００２２】
図示のように、釣り竿１０から、釣糸１１が延び、当該釣糸１１の先に餌固定具１が取り付けられている。当該餌固定具１は、図示しないスイベルやスナップ等を介して釣糸１１に取り付けられるようにしてもよい。また、別途仕掛けが使用されてもよく、従来公知の様々な態様が考えられるが、ここでは詳細は省略する。
【００２３】
図示のように、餌固定具１に、餌が固定されている。餌には、疑似餌や生の餌などが考えられるが、適宜決定することができる。なお、疑似餌は、水中において本体に水流を受けて蛇行したり泳ぐような動作をすることで、本物の餌（魚）の動きを再現できるように構成されたものである。
【００２４】
餌のサイズとして、例えば、小さいもので、高さが約２．５ｍｍ、太さ（幅）が約２．５ｍｍのものが考えられる。また、中程度の餌のサイズは、高さが約１４．５ｍｍ、太さ（幅）が約１３ｍｍのものが考えられる。さらに、大きいものでは、高さが約２６ｍｍ、太さ（幅）が約１７ｍｍのものが考えられる。餌のサイズには種々のものが考えられ、これらに限定されるものではない。
【００２５】
次に、図２を参照して、本発明の一実施形態における餌固定具１の全体的構成について説明する。
【００２６】
図示の例では、餌固定具１は、釣糸１１を固定するためのリング状部材２を備える。餌固定具１と釣糸１１とを接続する部材には様々な態様が考えられ、図２はその一例である。
【００２７】
本発明の一実施形態に係る餌固定具１は、錘３と、一端で該錘３に取り付けられ、他端から餌を取り付けるよう構成される釣り用針４と、一端で該錘に取り付けられ、他端の端部領域６で該餌の離脱を防止する餌保持部５と、を備える。餌保持部５は、餌刺し用の針として構成し得るが、その他の態様であってもよい。
【００２８】
本発明の一実施形態に係る餌固定具１の餌保持部５（ないし餌刺し用針）は、餌刺し本体部７と、該餌刺し本体部７の延伸方向に対して傾斜して形成される端部領域６と、を含むよう構成され得る。餌保持部５は、これら以外の部分を備えていても構わない。
【００２９】
また、本発明の一実施形態に係る餌固定具１の餌保持部５（ないし餌刺し用針）は、餌刺し本体部７と、返し部として形成される端部領域６と、を含むよう構成される。餌保持部５は、これら以外の部分を備えていても構わない。
【００３０】
本発明の一実施形態に係る餌固定具１の餌保持部５は、餌刺し本体部７と、端部領域６と、を少なくとも含み、該餌刺し本体部７は、くの字状に形成されるように構成してもよい。これにより、餌保持部５の負荷を分散させることが可能となる。
【００３１】
次に、図３、４を参照して、釣り用針４と、餌保持部５との関係につき説明する。図３は、餌固定具１を上面からみた様子を示す。また、図４は、餌固定具１を斜めからみた様子を示す。
【００３２】
これらに図示のように、釣り用針４、餌保持部５は錘３から紙面の右方向へ延びている。当該餌保持部５の端部領域６は、釣り用針４とは、該釣り用針４の方向に垂直な方向において、所定の距離Ｂ離れるように設けられる。本発明の一実施形態に係る餌固定具１では、餌保持部５の端部領域６が、釣り用針４とは、釣り用針４の方向に垂直な方向において、１−１０ｍｍの範囲で離れるようにして配置される。
【００３３】
本発明の一実施形態に係る餌固定具１の餌保持部５は、該餌保持部５の端部領域６が、釣り用針４とは、該釣り用針４の方向に垂直な方向において、餌が取り付けられた状態における、該釣り用針４から、該釣り用針４に垂直な方向における該餌の外面までの長さ以上の間隔Ｂを設けて配置されるよう構成される。
【００３４】
このようにして、様々サイズの餌の釣り用針への取付けの際、餌の当該針からの離脱を防止する餌保持部による餌の切り裂きを防止することが可能となる。
【００３５】
次に、図５ａ、ｂを参照して、釣り用針４と、餌保持部５との関係につき説明する。図５ａは、餌固定具１を正面からみた様子を示すものである。図５ｂは、図５ａのＡ−Ａ断面図である。
【００３６】
図５ａに示すように、釣り用針４、餌保持部５は錘３から紙面の右方向へ延びている。当該餌保持部５の端部領域６は、釣り用針４の方向へ向け、餌刺し本体部７の端部から曲げられるようにして延伸している。図示の例では、端部領域６の先端と釣り用針４との間の距離Ａが形成されている。
【００３７】
より詳細については後述するが、当該距離Ａは、釣り用針４に固定される餌の外形寸法（高さや幅）により変わり得る。当該距離Ａは、釣り用針４から、釣り用針４に固定される餌の外面までの長さの、例えば、８０％程度とすることができるが、適宜変更しても構わない。
【００３８】
より詳細を図５ｂも参照して説明する。図示のように、距離Ａは、餌保持部５の端部領域６の延伸方向における該端部の位置（先端位置）と、釣り用針４から延伸方向に垂直な方向に延びる仮想線Ｌが、前記端部領域６の延伸方向の仮想線Ｈと直角に交わる位置と、の間の距離Ａとして定義することができる。本発明の一実施形態に係る餌固定具１は、当該距離Ａが、１−８ｍｍの範囲にあるよう構成される。
【００３９】
本発明の一実施形態に係る餌固定具１は、餌保持部５の端部領域６の延伸方向における先端位置と、釣り用針４から延伸方向に垂直な方向に延びる仮想線Ｌが、端部領域６の延伸方向の仮想線Ｈと直角に交わる位置と、の間の長さが、釣り用針４から、釣り用針４に固定される餌の外面までの長さの８０％以下となるように構成される。
【００４０】
次に、図５ｃを参照して、釣り用針４に餌が固定される際に、餌保持部５の端部領域６で当該餌を刺す動きについて説明する。図示するように、端部領域６（点線位置）を同図の紙面の右方向へ移動させ、餌の下部から上方向へ刺し込むことで、端部領域６（実線位置）を移動させる。このようにして、紙面の左右方向における位置を変更させるのみで、餌保持部５の端部領域６の紙面の上下方向に差し込む力を容易に発生させることができる。
【００４１】
このようにして、当該餌保持部による餌の離脱を防止するための保持力を十分に発生させることができる餌固定具を提供することが可能となる。
【００４２】
以上のように、当該距離Ａ、Ｂを上述のようにすることで、簡易な構成で、餌の釣り用針への取付けの際に、餌の当該針からの離脱を防止する餌保持部による餌の切り裂きを防止すると共に、当該餌保持部による餌の離脱を防止するための保持力を十分に発生させることができる餌固定具を提供することが可能となる。
【００４３】
最後に、図６を参照して、本発明の一実施形態に係る餌固定具１の餌保持部５の端部領域６の位置の一例を示す。各構成の詳細は、図５ａと同様であるので省略するが、図示の例では、図５ａにおける例と比較して、餌保持部５の端部領域６の位置が、紙面の上下方向で上方に位置している。このようにすることで、餌保持部による餌の離脱を防止するための保持力を高くしたい場合などにおいて、餌保持部５の端部領域６の紙面の上下方向に差し込む力をより強くするよう構成することができる。
【００４４】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００４５】
１  餌固定具
２  リング状部材
３  錘
４  釣り用針
５  餌保持部
６  端部領域
７  餌刺し本体部
１０  釣り竿
１１  釣り糸
【図１】
2019118313.tif 000003
【図２】
2019118313.tif 000004
【図３】
2019118313.tif 000005
【図４】
2019118313.tif 000006
【図５ａ】
2019118313.tif 000007
【図５ｂ】
2019118313.tif 000008
【図５ｃ】
2019118313.tif 000009
【図６】
2019118313.tif 000010